(57)【要約】【課題】雪山の雪搬出部での重機等による雪取り作業を直射日光や風が当らず、かつ外気の影響を受けることなく作業効率良く行なうことのできる雪山の雪搬出部の覆い方法を提供する。【解決手段】雪山２全体の上部および法面を保冷用部材３で覆った雪山２の両側面の築堤４上にレール５を設置し、そのレール５上に、雪山２の一方の雪搬出側端部から移動可能な雪覆い６を設ける。【選択図】　　　　図１
2004131194.tif 000002
【特許請求の範囲】
【請求項１】
止水材上に積載した雪山全体の上部および法面を保冷用部材で覆った雪山の両側の築堤上に、雪山の一方の雪搬出側端部から移動可能な雪覆いを設けて、その雪覆い内で重機等による雪取り作業を行う雪山の雪搬出部の覆い方法。
【請求項２】
請求項１記載の雪覆いの天井部および両側部の雪山に面する側にシート材を設けて、雪覆い内の空気の外部への移動を抑えるようにした雪山の雪搬出部の覆い方法。
【請求項３】
請求項１または２記載の雪覆い内で雪取り作業を行なう重機等の雪覆いの出入口部を開閉可能に設ける雪山の雪搬出部の覆い方法。
【発明の詳細な説明】
【０００１】
【発明の属する技術分野】
本発明は、主として積雪地域において、冬期の積雪を集積して雪山を作り、その雪山を夏期シーズンまで貯蔵して、夏期にその雪山の雪を冷熱エネルギーとして利用するため、雪をバックホウその他の重機等により取り出し、雪利用施設に搬出して冷房用等の冷媒エネルギーとして有効利用する際の雪山の雪搬出部の覆い方法に関する。
【０００２】
【従来の技術】
従来、積雪の多い豪雪地帯等においては、雪は交通の障害になるばかりでなく、降雪の除去および投棄等の雪処理費用は、特に地方都市や農村地帯で大きな負担となり、雪は厄介ものとされてきた。
【０００３】
そこで、上記のごとく厄介ものとして扱われていた積雪を貯蔵しておいて、夏期においてその雪（氷）を穀物や食料品等の貯蔵庫の冷媒として利用したり、雪そのものをそのまま氷の代替として利用することは限られた地域において以前から小規模ながら行なわれていた。
【０００４】
しかしながら、近年地球の温暖化に伴い、省エネルギーとＣＯ２　抑制の対策として、膨大な除雪費用がかかっていた有り余る雪を、自然の冷熱エネルギーとして多くの農産物の生産や貯蔵に有効に活用することが本邦の積雪地帯で要請されてきている。
【０００５】
そこで、冬期間集積した巨大な雪山を夏期まで長期間良好な保冷状態で貯蔵すると共に、貯蔵した雪山の雪を取り出して雪利用施設の冷媒エネルギーとして有効利用する方法につき、本発明者等が実際の雪積地域において種々実験及び検討を行なった。
【０００６】
そこで、雪山の直接外部の空気に触れる部分の全体を籾殻等の保冷用部材で覆うことにより、有効に保冷を行なうことが可能であるが、その雪山の雪を取り出して有効利用する際には、その取り出す箇所の籾殻等の保冷用部材を取り除いて雪の取り出し作業を行なうことが必要である。
【０００７】
その際、籾殻等の保冷用部材の覆いがなくなった箇所の雪は直射日光や風が当ったり、外気に触れることで融解が進行してしまうので、雪の搬出作業が終わった時点で保冷用部材でその箇所を再び覆うという方法もあるが、非常に作業効率が悪くなる。
【０００８】
【発明が解決しようとする課題】
本発明は、冬期において保冷貯蔵した巨大な雪山の雪を、夏期において取り出して雪氷冷熱エネルギーとして使用時の雪山の雪搬出部での重機等による雪取り作業を、直射日光や風に当らず、かつ外気の影響を受けることなく作業効率良く行なうことのできる雪山の雪搬出部の覆い方法を提供する。
【０００９】
【課題を解決するための手段】
本発明は、止水材上に積載した雪山全体の上部および法面を保冷用部材で覆った雪山の両側の築堤上に、雪山の一方の雪搬出側端部から移動可能な雪覆いを設けて、その雪覆い内で重機等による雪取り作業を行う雪山の雪搬出部の覆い方法からなり、また本発明の方法は、上記の雪覆いの天井部および両側部の雪山に面する側にシート材を設けて、雪覆い内の空気の外部への移動を極力抑えるようにしたことからなり、さらに本発明の方法は、上記の雪覆い内で雪取り作業を行なう重機等の雪覆いの出入口部を開閉可能に設けることからなる。
【００１０】
【発明の実施の形態】
以下図面を参照して本発明の雪山の雪搬出部の覆い方法の実施の形態につき説明するが、図１はその一実施形態における雪山の雪搬出状況を示す鳥瞰図であり、図２は図１のＡ−Ａ方向の正断面図、そして図３は図１のＢ−Ｂ方向の縦断面図である。
【００１１】
この実施形態では、例えば約１０万トンの雪山２を地上面に敷設したシート状の止水材１上に冬期において積載し、その雪山２全体の上部および法面を例えば籾殻、または、麦わら、落ち葉、間伐材、おがくず等の保冷用部材３で覆って貯蔵しておき、夏期等においてその雪を冷媒のエネルギーとして各種の用途に有効利用するものであり、その止水材１として、アスファルトや、コンクリート等の止水効果のある材料を使用している。
【００１２】
そこで、この雪山２の雪を搬出する際には、その取り出し箇所の籾殻等の保冷用部材３を取り除いてバックホウやトラック等の重機１０等により雪を取り出すが、その際、雪山２の両側の築堤４上に例えばレール５，５を設置し、そのレール５，５上に、雪山２の一方の雪搬出側端部から移動可能な雪覆い６を設ける。
【００１３】
この雪覆い６は、図２及び図３に示すような鋼構造７を有し、その内面にシート８等の養生を行ない、かつ鋼構造７の下部に車輪を取り付けてレール５上を移動しながら、その雪覆い６内で確保された空間で重機１０等により雪取り作業が可能としており、その雪取り作業時は、その作業場に直射日光が当らないように雪覆い６が機能する。
【００１４】
また、図２及び図３に示すように、上記の雪覆い６の天井部および両側部の雪山２に面する面に、シート材９を設け、暖かい外気の浸入や、雪覆い６内の空気の外部への移動を極力抑えるようにしており、雪取り作業中に保冷用部材３を取り除いた箇所の雪が外気に触れて融解が進行することを極力防止している。
【００１５】
さらに、上記の雪覆い６内で雪取り作業を行なう重機１０等が出入りする雪覆い６の出入口部１１を開閉可能に設けており、重機１０の出入時以外はその出入口部１１を閉鎖するようにしており、この出入口部１１から、バックホウやブルドーザ等が雪覆い６内に入り、雪山２の雪を取り出し、トラック等で雪を冷熱エネルギーとして使用する施設に搬送する。
【００１６】
【発明の効果】
以上に説明した本発明の雪山の雪搬出部の覆い方法を採用すれば、冬期において保冷貯蔵した巨大な雪山の雪を、夏期において効率よく取り出して雪氷冷熱エネルギーとして使用時の雪山の雪搬出部での重機等による雪取り作業を、直射日光や風の当らない作業空間で作業効率良く行なうことができ、しかもその雪覆い内の作業空間の空気の外部との移動は極力抑えられるようになっているので、保冷用部材を取り除いた箇所の雪山の融解の進行を遅らせることができる。
【００１７】
従って、豪雪地帯において厄介もの扱いされていた雪を積極的に雪山として保冷貯蔵しておき、夏期においてその雪山を膨大な冷熱エネルギーとして有効利用する際の雪山の雪搬出時の雪取り作業効率を高める上で本発明は有効である。
【図面の簡単な説明】
【図１】本発明の雪山の雪搬出部の覆い方法の一実施形態における雪搬出状況を示す鳥瞰図である。
【図２】図１のＡ−Ａ方向の正断面図である。
【図３】図１のＢ−Ｂ方向の縦断面図である。
【符号の説明】
１　　止水材
２　　雪山
３　　保冷用部材
４　　築堤
５　　レール
６　　雪覆い
９　　シート材
１０　　重機
１１　　出入口部
【図１】
2004131194.tif 000003
【図２】
2004131194.tif 000004
【図３】
2004131194.tif 000005